(57)【要約】  空気調和機とユーザ情報入力端末４０と中央管理装置１とを備えた空気調和システムであって、ユーザ情報入力端末４０は、ユーザの部屋への入室を検知し、ユーザを識別するユーザ識別情報を含む入室連動信号を中央管理装置１に送信し、中央管理装置１は、入室連動信号を受信すると、部屋内に在室する１又は複数のユーザのユーザ属性の優先度と、現在設定されている省エネレベルとに応じて空気調和機２０の制御目標を決定し、決定した制御目標にしたがって空気調和機２０を連動制御させる。
2014076756.tif 000002
【特許請求の範囲】
【請求項１】
部屋の空調を行う空気調和機と、
前記部屋へのユーザの入室を検知し、前記ユーザを識別するユーザ識別情報を含む入室連動信号を送信する入室連動元装置と、
前記入室連動信号を受信し、前記入室連動信号に基づいて前記空気調和機を制御する中央管理装置とを備え、
前記中央管理装置は、
前記ユーザ識別情報毎にユーザ属性を記憶したユーザ情報データベースと、
前記ユーザ属性毎に優先度を記憶した優先度データベース、前記ユーザ属性毎に属性別設定温度を記憶した属性連動データベース、及び、前記属性別設定温度を基準とした前記部屋の設定温度を前記空気調和機の制御目標として設定した省エネレベルを１又は複数記憶する省エネモード設定データベースを含む連動設定データベース群と、
前記省エネレベルを選択する設定入力部と、
連動制御演算部とを備え、
前記連動制御演算部は、
前記入室連動元装置からの前記入室連動信号により、前記部屋に新たにユーザが入室したことを検知すると、新たに入室した前記ユーザを含めて前記部屋内に在室する１又は複数のユーザのそれぞれのユーザ属性を前記ユーザ情報データベースに基づいて特定し、
特定した１又は複数の前記ユーザ属性のそれぞれの優先度を前記連動設定データベース群に基づいて決定し、最も優先度が高いユーザ属性に対応する属性別設定情報を特定して前記設定入力部で選択された省エネレベルに応じた前記制御目標を決定し、
決定した前記制御目標を指示する空気調和機制御信号を前記空気調和機に送信する
ことを特徴とする空気調和システム。
【請求項２】
前記部屋からのユーザの退室を検知し、前記ユーザを識別するユーザ識別情報を含む退室連動信号を送信する退室連動元装置を更に備え、
前記連動制御演算部は、
前記退室連動信号を受信すると、前記退室連動信号に含まれる前記ユーザ識別情報に基づいて退室したユーザを特定し、前記退室したユーザを除いて前記部屋内に在室する１又は複数のユーザのそれぞれのユーザ属性を前記連動設定データベース群に基づいて特定し、
特定した１又は複数の前記ユーザ属性のうち、最も優先度が高いユーザ属性に基づいて前記制御目標を更新し、
更新した前記制御目標を指示する空気調和機制御信号を前記空気調和機に送信する
ことを特徴とする請求項１記載の空気調和システム。
【請求項３】
複数の部屋の空調を行う複数の室内機を有する空気調和機と、
前記複数の部屋のそれぞれの入口に設置され、前記部屋へのユーザの入室を検知し、前記ユーザを識別するユーザ識別情報と、自己の識別番号である端末識別情報とを含む入室連動信号を送信する複数の入室連動元装置と、
前記入室連動信号を受信し、前記入室連動信号に基づいて前記空気調和機を制御する中央管理装置とを備え、
前記中央管理装置は、
前記ユーザ識別情報毎にユーザ属性を記憶したユーザ情報データベースと、
前記ユーザ属性毎に優先度を記憶した優先度データベース、前記ユーザ属性毎に属性別設定温度を記憶した属性連動データベース、及び、前記優先度に基づいて順位付けされる優先順位の各順位毎に割り当てられた前記空気調和機の制御目標の組み合わせで構成される省エネレベルを１又は複数記憶し、前記制御目標として少なくとも前記属性別設定温度を基準とした前記部屋の設定温度を設定した省エネモード設定データベースとを含む連動設定データベース群と、
前記省エネレベルを選択する設定入力部と、
連動制御演算部とを備え、
前記連動制御演算部は、
前記入室連動元装置からの前記入室連動信号により、前記複数の部屋をまとめて一つとみなした優先順位判定エリアに新たにユーザが入室したことを検知すると、前記入室連動信号に含まれる端末識別情報に基づいて前記ユーザが入室した部屋を特定すると共に、新たに入室した前記ユーザを含めて前記優先順位判定エリアに在室する１又は複数のユーザのそれぞれのユーザ属性を前記ユーザ情報データベースに基づいて特定し、
特定した１又は複数の前記ユーザ属性に、前記連動設定データベース群に基づいて優先順位を付け、各順位それぞれのユーザ属性毎に、そのユーザ属性に応じて設定された前記属性別設定温度に基づいて前記設定入力部で選択された省エネレベルに応じた前記制御目標を割り当て、
前記複数の部屋のそれぞれにおける在室状況を管理し、前記各部屋毎に、その部屋に存在する１又は複数のユーザのそれぞれのユーザ属性を特定し、
前記各部屋毎に特定した１又は複数の前記ユーザ属性のうち、前記優先順位が最も高いユーザ属性に割り当てた前記制御目標を、その部屋の部屋別制御目標として決定し、
前記複数の部屋のそれぞれに対して決定した前記部屋別制御目標を指示する空気調和機制御信号を前記空気調和機に送信する
ことを特徴とする空気調和システム。
【請求項４】
前記部屋からのユーザの退室を検知し、前記ユーザを識別するユーザ識別情報を含む退室連動信号を送信する退室連動元装置を更に備え、
前記連動制御演算部は、
前記退室連動信号を受信すると、前記優先順位判定エリアにおける優先順位を更新し、更新後の優先順位に基づいて前記各部屋それぞれにおける、前記部屋別制御目標を更新し、前記更新後の部屋別制御目標を指示する空気調和機制御信号を前記空気調和機に送信する
ことを特徴とする請求項３記載の空気調和システム。
【請求項５】
前記連動制御演算部は、前記入室連動信号及び前記退室連動信号に基づいて前記優先順位判定エリア内におけるユーザの部屋移動を検知した場合、前記優先順位判定エリアにおける優先順位の更新は行わず、前記複数の部屋のそれぞれにおける在室状況の変化に基づいて、前記各部屋それぞれにおける、前記部屋別制御目標を更新し、前記更新後の部屋別制御目標を指示する空気調和機制御信号を前記空気調和機に送信する
ことを特徴とする請求項４記載の空気調和システム。
【請求項６】
前記入室連動元装置は、自己が設置された部屋の入出扉の電気錠の開錠を行うように構成され、
前記入室連動元装置は、自己が設置された部屋へのユーザの入室を検知すると、前記電気錠の開錠信号を生成して前記入室連動信号に含めて送信し、
前記中央管理装置は、前記開錠信号を含む前記入室連動信号を受信すると、前記入室連動信号に含まれる前記端末識別情報で特定される部屋が、前記入室連動信号に含まれる前記ユーザ識別情報で特定されるユーザの入出許可エリアであるか否かを判断し、入出許可エリアであると判断した場合、認証成功である旨の認証結果を、前記入室連動信号の送信元の前記入室連動元装置に送信し、
前記入室連動元装置は、前記中央管理装置からの認証成功である旨の前記認証結果に基づいて前記電気錠を開錠する
ことを特徴とする請求項４又は請求項５記載の空気調和システム。
【請求項７】
前記退室連動元装置は、前記部屋からのユーザの退室を検知すると、自己が設置された部屋の前記電気錠を施錠することを特徴とする請求項６記載の空気調和システム。
【請求項８】
前記連動制御演算部は、前記退室連動信号に基づいて前記部屋が無人になったことを検知した場合、その部屋の前記室内機をＯＦＦすることを特徴とする請求項２、請求項４及び請求項７の何れか一項に記載の空気調和システム。
【請求項９】
前記空気調和機の制御目標は、前記部屋の設定温度の他に、送風動作及び空調停止の少なくとも一方を有することを特徴とする請求項１乃至請求項８の何れか一項に記載の空気調和システム。
【請求項１０】
部屋の空調を行う空気調和機と、前記部屋へのユーザの入室を検知し、前記ユーザを識別するユーザ識別情報を含む入室連動信号を送信する入室連動元装置と、前記入室連動信号を受信し、前記入室連動信号に基づいて前記空気調和機を制御する中央管理装置とを備えた空気調和システムにおける前記中央管理装置であって、
前記ユーザ識別情報毎にユーザ属性を記憶したユーザ情報データベースと、
前記ユーザ属性毎に優先度を記憶した優先度データベース、前記ユーザ属性毎に属性別設定温度を記憶した属性連動データベース、及び、前記属性別設定温度を基準とした前記部屋の設定温度を前記空気調和機の制御目標として設定した省エネレベルを１又は複数記憶する省エネモード設定データベースを含む連動設定データベース群と、
前記省エネレベルを選択する設定入力部と、
連動制御演算部とを備え、
前記連動制御演算部は、
前記入室連動元装置からの前記入室連動信号により、前記部屋に新たにユーザが入室したことを検知すると、新たに入室した前記ユーザを含めて前記部屋内に在室する１又は複数のユーザのそれぞれのユーザ属性を前記ユーザ情報データベースに基づいて特定し、
特定した１又は複数の前記ユーザ属性のそれぞれの優先度を前記連動設定データベース群に基づいて決定し、最も優先度が高いユーザ属性に対応する属性別設定情報を特定して前記設定入力部で選択された省エネレベルに応じた前記制御目標を決定し、
決定した前記制御目標を指示する空気調和機制御信号を前記空気調和機に送信する
ことを特徴とする中央管理装置。
【請求項１１】
複数の部屋の空調を行う複数の室内機を有する空気調和機と、前記複数の部屋のそれぞれへのユーザの入室を検知し、前記ユーザを識別するユーザ識別情報と、自己の識別番号である端末識別情報とを含む入室連動信号を送信する複数の入室連動元装置と、前記入室連動信号を受信し、前記入室連動信号に基づいて前記空気調和機を制御する中央管理装置とを備えた空気調和システムにおける前記中央管理装置であって、
前記ユーザ識別情報毎にユーザ属性を記憶したユーザ情報データベースと、
前記ユーザ属性毎に優先度を記憶した優先度データベース、前記ユーザ属性毎に属性別設定温度を記憶した属性連動データベース、及び、前記優先度に基づいて順位付けされる優先順位の各順位毎に割り当てられた前記空気調和機の制御目標の組み合わせで構成される省エネレベルを１又は複数記憶し、前記制御目標として少なくとも前記属性別設定温度を基準とした前記部屋の設定温度を設定した省エネモード設定データベースとを含む連動設定データベース群と、
前記省エネレベルを選択する設定入力部と、
連動制御演算部とを備え、
前記連動制御演算部は、
前記入室連動元装置からの前記入室連動信号により、前記複数の部屋をまとめて一つとみなした優先順位判定エリアに新たにユーザが入室したことを検知すると、前記入室連動信号に含まれる端末識別情報に基づいて前記ユーザが入室した部屋を特定すると共に、新たに入室した前記ユーザを含めて前記優先順位判定エリアに在室する１又は複数のユーザのそれぞれのユーザ属性を前記ユーザ情報データベースに基づいて特定し、
特定した１又は複数の前記ユーザ属性に、前記連動設定データベース群に基づいて優先順位を付け、各順位それぞれのユーザ属性毎に、そのユーザ属性に応じて設定された前記属性別設定温度に基づいて前記設定入力部で選択された省エネレベルに応じた前記制御目標を割り当て、
前記複数の部屋のそれぞれにおける在室状況を管理し、前記各部屋毎に、その部屋に存在する１又は複数のユーザのそれぞれのユーザ属性を特定し、
前記各部屋毎に特定した１又は複数の前記ユーザ属性のうち、前記優先順位が最も高いユーザ属性に割り当てた前記制御目標を、その部屋の部屋別制御目標として決定し、
前記複数の部屋のそれぞれに対して決定した前記部屋別制御目標を指示する空気調和機制御信号を前記空気調和機に送信する
ことを特徴とする中央管理装置。
【発明の詳細な説明】
【技術分野】
【０００１】
本発明は、空気調和システム及び中央管理装置に関する。
【背景技術】
【０００２】
従来より、一方の装置（連動元）の動作を示す信号に応じて他方の装置（連動先）を動作させる連動制御が行われている。このような連動制御を空気調和システムに適用し、連動元装置と連動して空気調和機の動作を制御するシステムがある（例えば、特許文献１参照）。この特許文献１では、会議室の鍵がかかったことに連動して会議室内の全ての室内機を停止したり、会議室内のある室内機が起動されたことに連動して会議室内の全ての室内機を起動したり、といった連動制御を行っている。【０００３】
また、従来、個人識別装置を連動元装置とし、連動元装置における個人識別結果に応じて、その個人の好みにあった温度等に空気調和機を連動制御するようにした空気調和システムも開示されている（例えば、特許文献２参照）。
【先行技術文献】
【特許文献】
【０００４】
【特許文献１】特開２００５−１１０１６８号公報（第１図、第１４図、［００６１］、［００９２］）
【特許文献２】特開２００５−１７２２８８号公報（第１図、［００３３］）
【発明の概要】
【発明が解決しようとする課題】
【０００５】
特許文献１では、連動元装置（つまり、鍵又は室内機）の操作をどのユーザが行っても、連動先装置の連動制御は同じとなっており、ユーザに応じた連動設定を行うことができないといった問題があった。この点、特許文献２では、ユーザに応じた連動設定が可能となっている。【０００６】
しかしながら、特許文献２では、近年の空気調和システムの開発において重要事項とされている省エネ制御について何ら検討されておらず、ユーザの好みに合った環境条件に制御するのみであるため、省エネ対策を行えないという問題があった。【０００７】
本発明は、上記のよう課題を解決するためになされたもので、省エネ対策を可能としつつ、ユーザに応じた空気調和機の連動制御を行うことが可能な空気調和システム及び中央管理装置を提供することを目的とする。
【課題を解決するための手段】
【０００８】
本発明に係る空気調和システムは、部屋の空調を行う空気調和機と、部屋へのユーザの入室を検知し、ユーザを識別するユーザ識別情報を含む入室連動信号を送信する入室連動元装置と、入室連動信号を受信し、入室連動信号に基づいて空気調和機を制御する中央管理装置とを備え、中央管理装置は、ユーザ識別情報毎にユーザ属性を記憶したユーザ情報データベースと、ユーザ属性毎に優先度を記憶した優先度データベース、ユーザ属性毎に属性別設定温度を記憶した属性連動データベース、及び、属性別設定温度を基準とした部屋の設定温度を空気調和機の制御目標として設定した省エネレベルを１又は複数記憶する省エネモード設定データベースを含む連動設定データベース群と、省エネレベルを選択する設定入力部と、連動制御演算部とを備え、連動制御演算部は、入室連動元装置からの入室連動信号により、部屋に新たにユーザが入室したことを検知すると、新たに入室したユーザを含めて部屋内に在室する１又は複数のユーザのそれぞれのユーザ属性をユーザ情報データベースに基づいて特定し、特定した１又は複数のユーザ属性のそれぞれの優先度を連動設定データベース群に基づいて決定し、最も優先度が高いユーザ属性に対応する属性別設定情報を特定して設定入力部で選択された省エネレベルに応じた制御目標を決定し、決定した制御目標を指示する空気調和機制御信号を空気調和機に送信するものである。
【発明の効果】
【０００９】
本発明によれば、省エネ対策を可能としつつ、ユーザに応じた空気調和機の連動制御を行うことが可能な空気調和システムを得ることができる。
【図面の簡単な説明】
【００１０】
【図１】本発明の一実施の形態における空気調和システムの構成図である。
【図２】本発明の一実施の形態における空気調和システムのブロック図である。
【図３】図１の中央管理装置１のユーザ情報データベース５の構成の一例を示す図である。
【図４】図１の中央管理装置１のユーザ情報入力端末データベース６の一例を示す図である。
【図５】図１の中央管理装置１の優先度データベース８の一例を示す図である。
【図６】図１の中央管理装置１の優先順位状況記憶部１２のデータ内容の一例を示す図である。
【図７】図１の中央管理装置１の属性連動データベース９のデータ内容の一例を示す図である。
【図８】図１の中央管理装置１の省エネモード設定データベース１０の構成の一例を示す図である。
【図９】図１の中央管理装置１の在室状況記憶部１１の構成の一例を示す図である。
【図１０】本発明の一実施の形態における空気調和システムの連動制御のフローチャートである。
【図１１】具体例の説明図である。
【図１２】図１１の具体例における優先順位の変化を示す図である。
【図１３】図１１の具体例を含む事例における各部屋の部屋別制御目標の変化を示す図である。
【発明を実施するための形態】
【００１１】
図１は、本発明の一実施の形態における空気調和システムの構成図である。
図１に示す通り、本実施の形態の空気調和システムは、中央管理装置１と、室外機２１及び室内機２２を有する空気調和機２０と、ユーザ情報入力端末４０とを備える。空気調和システムが設置される建物内には複数の部屋が設けられており、ここでは応接室、会議室Ａ及び会議室Ｂが設けられており、各部屋に１台ずつ室内機２２が設置されているものとする。なお、各部屋における室内機２２の設置台数は、部屋の大きさ等に応じて自由に変更できる。
【００１２】
中央管理装置１は、空気調和システム全体を管理する装置であり、入力装置としての設定入力器１Ａが接続されていると共に、通信用伝送線を介して室外機２１に接続されている。また、中央管理装置１にはユーザ情報入力端末４０が接続され、ユーザ情報入力端末４０から入力された情報を取得するようになっている。
【００１３】
設定入力器１Ａは、例えばキーボード、マウス、表示画面と組み合わせて用いられるタッチパネル式の入力装置等で構成される。設定入力器１Ａから、後述の各種のデータベースの設定入力、後述の省エネレベルの設定入力、現在が夏季なのか冬季なのかを示す季節設定の入力等が行われる。設定入力器１Ａを用いた各種設定入力は、例えば管理者によって行われる。
【００１４】
ユーザ情報入力端末４０は、ここではカードリーダーで構成され、各ユーザに予め与えられたユーザ情報カード３０に記憶されたユーザ識別情報（ここでは、ＩＤ番号）の読み取りを行う。ユーザ情報入力端末４０は、応接室、会議室Ａ及び会議室Ｂのそれぞれの入出扉の入口側と出口側にそれぞれ設置され、各部屋に入退出するユーザのユーザ識別情報を取得する。
【００１５】
入口側に設置されたユーザ情報入力端末４０は、ユーザ情報カード３０から取得したユーザ識別情報と、自己の端末識別情報と、後述の連動元情報とを含む入室連動信号を中央管理装置１に送信する。出口側に設置されたユーザ情報入力端末４０は、ユーザ情報カード３０から取得したユーザ識別情報と、自己の端末識別情報と、後述の連動元情報とを含む退室連動信号を中央管理装置１に送信する。また、ユーザ情報入力端末４０は、自己が設置された入出扉に設けられた電気錠の開錠、施錠を行う。この電気錠は、開錠されて開かれた入出扉が閉じると、自動的に施錠されるものとしてもよい。ユーザ情報入力端末４０は、本発明の入室連動元装置、退室連動元装置に相当する。
【００１６】
ユーザ情報入力端末４０で用いられるユーザ情報カード３０は、ここでは無線ＩＣカードで構成されている。ユーザ情報カード３０は、無線ＩＣカードに限らず、磁気カードであってもよい。また、ユーザ情報入力端末４０におけるユーザ識別には、ここではカードを使用しているが、カードに限らず、暗証番号を入力する方法、ユーザの指紋又は音声等を入力する方法、カメラで撮影したユーザの顔画像等を用いる方法としてもよい。また、部屋の入口側に設置されるユーザ情報入力端末４０についてはカードを用い、部屋の出口側に設置されるユーザ情報入力端末４０についてはカメラで撮影したユーザの顔画像を用いる等、入口側と出口側とで異なるユーザ識別を行うようにしてもよい。
【００１７】
図２は、本発明の一実施の形態における空気調和システムのブロック図である。図２において図１と同一部分には同一符号を付す。
図２に示す通り、中央管理装置１は、ユーザ認識処理部２、連動制御演算部３、空気調和機制御部４、ユーザ情報データベース５、ユーザ情報入力端末データベース６、連動設定データベース群７、在室状況記憶部１１及び優先順位状況記憶部１２を備えている。連動設定データベース群７は、優先度データベース８と、属性連動データベース９と、省エネモード設定データベース１０とを備えている。
【００１８】
中央管理装置１における各処理部における処理動作については、後述の空気調和システムの動作説明で行うこととし、ここでは、各データベースについて説明する。
【００１９】
図３は、図１の中央管理装置１のユーザ情報データベース５の構成の一例を示す図である。
ユーザ情報データベース５には、「ユーザ名」と、「ユーザ識別情報」と、「ユーザ属性」と、「入室許可エリア」とが設定されている。「ユーザ識別情報」は、ユーザ毎に付与されたＩＤである。「ユーザ属性」は、ここでは、「一般社員」、「社長」、「ＶＩＰ」としている。なお、ＶＩＰとは、例えば重要な来客等が該当する。なお、ここで示したユーザ属性は一例であり、一般社員を更に細かく「一般社員（グループＡ）」、「一般社員（グループＢ）」のように分けて、全部で４つの属性に分ける等、使用環境に応じて任意の属性が設定可能とする。
【００２０】
「入室許可エリア」には、「ユーザ識別情報」で特定されるユーザの入室を許可するエリアが登録される。ユーザ情報データベース５へのデータ登録は、管理者により事前登録、もしくは建物内に入館するときの受付時に行う。なお、ユーザ情報の登録の方法は、これらの方法に限らず、使用環境に応じて変更可能とする。
【００２１】
図４は、図１の中央管理装置１のユーザ情報入力端末データベース６の一例を示す図である。
ユーザ情報入力端末データベース６には、「端末識別情報」と、「エリア」と、「該当室内機番号」とが記憶される。「端末識別情報」は、予めユーザ情報入力端末４０毎に付された識別番号である。「エリア」は、「端末識別情報」で特定されるユーザ情報入力端末４０が設置された部屋である。「該当室内機番号」は、「エリア」で特定される部屋に設置された室内機２２の室内機番号である。
【００２２】
図５は、図１の中央管理装置１の優先度データベース８の一例を示す図である。
優先度データベース８には、ユーザ属性毎の優先度が記憶されている。なお、ここでは、数値が大きい方が優先度が高いものとする。つまり、優先度が高い順に、ＶＩＰ、社長、一般社員となっている。
【００２３】
図６は、図１の中央管理装置１の優先順位状況記憶部１２のデータ内容の一例を示す図である。
優先順位状況記憶部１２には、建物内における現在の在室者の優先順位状況が記憶される。建物内には、応接室、会議室Ａ、会議室Ｂの３つの部屋があるが、これら各部屋を区別せず、応接室、会議室Ａ、会議室Ｂをまとめて一つの優先順位判定エリアとみなす。そして、優先順位判定エリア内に存在する１又は複数のユーザのユーザ属性に応じた優先度に基づいて、優先順位が決定される。
【００２４】
図６には、優先順位判定エリア内に社長と一般社員とがいる場合の優先順位を示しており、優先度が「２」の社長が１位、優先度が「１」の一般社員が２位となっている。ここで、例えば優先順位判定エリア内に新たにＶＩＰが入室した場合には、優先度が「３」のＶＩＰが１位となり、社長と一般社員の順位は、２位と３位に繰り下がることになる。このように、「優先順位」は、優先順位判定エリア内にユーザが入退室する度に、ユーザ属性に応じた優先度に基づいて更新される。優先順位状況記憶部１２の更新は、連動制御演算部３によって行われる。
【００２５】
図７は、図１の中央管理装置１の属性連動データベース９のデータ内容の一例を示す図である。
属性連動データベース９には、ユーザ属性毎に属性別設定温度が記憶される。属性別設定温度は、夏季と冬季のそれぞれについて設定される。図７の一番目のレコードで具体的に説明すると、ユーザ属性が「一般社員」については、認証時（つまり入室時）に夏季であれば、入室する部屋の室内機２２を冷房で２８℃で運転し、冬季であれば暖房で２０℃で運転する設定となっている。
【００２６】
図８は、図１の中央管理装置１の省エネモード設定データベース１０の構成の一例を示す図である。図８には冷房時の構成例を示している。
省エネモード設定データベース１０には、省エネモードとして複数の省エネレベルが設定されている。省エネレベルは、ここでは、１〜３までの３段階設けられている。省エネレベル１〜３のうち、省エネレベル３が最も省エネ性が高く、省エネレベル２、省エネレベル１の順に省エネ性が低下する。また、図８において「ＯＦＦ」は、省エネモードを設定しない通常状態を意味している。
【００２７】
省エネレベルは、優先順位の各順位毎に割り当てられた空気調和機２０の制御目標の組み合わせで構成される。制御目標には、空気調和機２０の「設定温度」、「送風」、「ＯＦＦ（空調停止）」が設定される。「設定温度」は、属性別設定温度を基準とした温度が設定される。例えば、冷房で省エネモードが「省エネレベル２」に設定されている場合、優先順位が１位のユーザ属性には、制御目標として「属性別設定温度＋１℃」の設定温度が割り当てられるまた、２位のユーザ属性には、制御目標として「属性別設定温度＋２℃」の設定温度が割り当てられる。そして、３位のユーザ属性には、制御目標として「送風」が割り当てられる。
【００２８】
具体的に説明すると、「省エネレベル２」で、１位のユーザ属性がＶＩＰであれば、ＶＩＰの属性別設定温度は図７に示したように２４℃であるため、設定温度は２４℃＋１℃で２５℃ということになる。また、２位のユーザ属性が社長であれば、社長の属性別設定温度は２６℃であるため、社長に割り当てられる省エネ要設定温度は、２６℃＋２℃で２８℃ということになる。
【００２９】
図３、図４、図５、図７及び図８に示した各データベースの情報は、管理者により事前に設定入力器１Ａから設定される。また、省エネモードの省エネレベルの設定も、管理者により設定入力器１Ａから設定される。
【００３０】
図９は、図１の中央管理装置１の在室状況記憶部１１の構成の一例を示す図である。
在室状況記憶部１１は、端末識別情報と、ユーザ識別情報と、ユーザ属性とが対応付けて在室情報として記憶され、各部屋で入退出がある度に更新される。つまり、入室した際は、そのユーザの在室情報が在室状況記憶部１１に新たに登録され、退出した際は、そのユーザの在室情報が在室状況記憶部１１から削除される。よって、在室状況記憶部１１内に記憶されたデータに基づいて、どの部屋にどのユーザが在室しているか、部屋が無人であるか、を把握することが可能となっている。在室状況記憶部１１における在室情報の更新は、ユーザ情報入力端末４０からの入室連動信号及び退室連動信号に基づいて連動制御演算部３が行う。
【００３１】
図１０は、本発明の一実施の形態における空気調和システムの連動制御のフローチャートである。以下、本実施の形態における空気調和システムの連動制御の動作概要について図１０を参照して説明する。なお、省エネレベルと、現在が夏季なのか冬季なのかを示す季節情報とは、予め、管理者により設定入力器１Ａから設定されているものとする。
ユーザは、会議室Ａ等の部屋への入室時、電気錠を解除するために、自己のユーザ情報カード３０を用いてユーザ情報入力端末４０でユーザ識別情報の入力を行う（Ｓ１）。すなわち、ユーザ情報入力端末４０は、ユーザ情報カード３０からユーザ情報カード３０に記憶されたユーザ識別情報を読み取る。そして、ユーザ情報入力端末４０は、読み取ったユーザ識別情報と、自己の端末識別情報と、連動元情報とを含む入室連動信号を認証要求として中央管理装置１に送信する。連動元情報は、ここでは電気錠の開錠信号である。
【００３２】
中央管理装置１のユーザ認識処理部２は、ユーザ情報入力端末４０からの認証要求を受信し、認証要求に含まれる連動元情報が開錠信号であれば、ユーザが入室しようとしている部屋への入室を許可するか否かのユーザ認証を行う（Ｓ２）。具体的には、ユーザ認識処理部２は、認証要求に含まれるユーザ識別情報に基づいてユーザ情報データベース５を参照すると共に、認証要求に含まれる端末識別情報に基づいてユーザ情報入力端末データベース６を参照し、これらの参照結果に基づいて認証を行う。
【００３３】
すなわち、まず、ユーザ認識処理部２は、認証要求に含まれるユーザ識別情報が、ユーザ情報データベース５に記憶されているかをチェックする。ユーザ識別情報がユーザ情報データベース５に記憶されている場合、そのユーザ識別情報と対応づけて記憶された入室許可エリアを特定する。また、ユーザ認識処理部２は、認証要求に含まれる端末識別情報に基づいてユーザ情報入力端末データベース６を参照し、その端末識別情報で特定されるユーザ情報入力端末４０が設置されたエリアを特定し、そのエリアが、入室許可エリアに該当するかをチェックする。
【００３４】
端末識別情報に基づき特定されたエリアが入室許可エリアに該当する場合、中央管理装置１は、そのユーザを認証成功とし、認証が成功した旨の認証結果を、認証要求送信元のユーザ情報入力端末４０に送信する（Ｓ３）。一方、端末識別情報に基づき特定されたエリアが、入室許可エリアに該当しない場合、中央管理装置１は、認証が失敗した旨の認証結果をユーザ情報入力端末４０に送信する（Ｓ４）。
【００３５】
ユーザ情報入力端末４０は、中央管理装置１のユーザ認識処理部２からの認証結果を、表示画面、もしくは音でユーザに通知する（Ｓ５）。また、ユーザ情報入力端末４０は、受信した認証結果が認証成功の場合、電気錠を開錠し（Ｓ６）、受信した認証結果が認証不成功の場合、電気錠を開錠しない。
【００３６】
中央管理装置１のユーザ認識処理部２は、認証成功した場合、ユーザ識別情報と、端末識別情報と、連動元情報と、そのユーザ識別情報に対応してユーザ情報データベース５に登録された情報（ユーザ属性）と、を連動制御演算部３に入力する。
【００３７】
連動制御演算部３は、ユーザ認識処理部２から入力された各種情報に基づいて在室状況記憶部１１及び優先順位状況記憶部１２を更新する（Ｓ７）。すなわち、連動制御演算部３は、ユーザ認識処理部２から入力された、ユーザ識別情報、端末識別情報及びユーザ属性情報に基づいて在室状況記憶部１１を更新する。そして、連動制御演算部３は、ユーザ認識処理部２から入力されたユーザ属性情報と、優先度データベース８に記憶された優先度情報とに基づいて優先順位状況記憶部１２を更新する。
【００３８】
続いて、連動制御演算部３は、現在設定されている省エネレベルに応じた空気調和機２０の制御目標を決定し、空気調和機制御信号を室外機２１に送信する（Ｓ８）。すなわち、更新後の在室状況記憶部１１及び優先順位状況記憶部１２と、季節情報と、属性別設定温度と、現在設定されている省エネレベルと、連動設定データベース群７とに基づいて、空気調和機２０を制御するための制御内容を設定する。
【００３９】
ここで決定される制御内容とは、具体的には各部屋それぞれにおける制御目標、言い換えれば、各部屋それぞれに設置された室内機２２に対する制御目標であり、設定温度、送風（送風動作）、ＯＦＦ（空調停止）の何れかが該当する。連動制御演算部３は、各部屋毎（各室内機毎）に決定した部屋別制御目標を指示する空気調和機制御信号を室外機２１に送信する。つまり、空気調和機制御信号は、室内機番号毎に、その室内機２２に指示する制御目標が指定された信号ということになる。なお、空気調和機制御信号の構成は、この構成に限らず、要は、各室内機２２のそれぞれに制御目標を指示できる構成であればよい。
【００４０】
室外機２１は、受信した空気調和機制御信号に基づき、自己及び該当の室内機２２の運転を実施する（Ｓ９）。
【００４１】
また、図１０にはユーザが部屋から退室する場合については示していないが、ユーザ情報入力端末４０は、ユーザの退出を検知すると、その部屋の電気錠を施錠する。また、ユーザ情報入力端末４０は、ユーザの退出を検知すると、上述したように、退出するユーザのユーザ識別情報と、自己に予め付された端末識別情報とを含む退室連動信号を中央管理装置１に送信する。退室連動信号に基づく中央管理装置１における処理については、以下の具体例で説明する。
【００４２】
以下、具体例を説明する。
図１１は、具体例の説明図である。ここでは、会議室Ａに社長（優先度２）のみが在室、会議室Ｂに一般社員（優先度１）のみが在室中に、新たに優先度の高いＶＩＰユーザ（優先度３）が、無人の応接室に入室した場合について考える。また、ここでは、冷房運転で、省エネモード設定が省エネレベル２に設定されているものとする。
【００４３】
図１２は、図１１の具体例における優先順位の変化を示す図で、左図が、ＶＩＰユーザの入室前の優先順位状況記憶部１２内のデータ内容を示しており、右図が、ＶＩＰユーザの入室後の優先順位状況記憶部１２内のデータ内容を示している。図１３は、図１１の具体例を含む事例における各部屋の部屋別制御目標の変化を示す図である。
【００４４】
優先順位の判定は、上述したように、部屋毎ではなく建物全体、応接室、会議室Ａ及び会議室Ｂをまとめて一つとみなした優先順位判定エリア内での在室状況に基づいて判定する。ＶＩＰユーザが応接室に入室前の優先順位エリア内には、一般社員（優先度１）と社長（優先度２）とが在室している。このため、優先順位は、図１２の左図に示すように、１位が社長、２位が一般社員である。
【００４５】
よって、この時点での各部屋の設定温度は次の通りである。すなわち、応接室は無人であるため、室内機２２はＯＦＦであり、設定温度は未設定である。会議室Ａには社長のみが在室し、その社長の優先順位は１位であるため、会議室Ａの設定温度は冷房２７℃（２６℃＋１℃）である。会議室Ｂには一般社員のみが在室し、一般社員の優先順位は２位であるため、設定温度は、計算上は２８℃＋２℃で３０℃となる。しかし、冷房時の設定温度には上限を設けており、ここでは上限温度を２８℃としているため、会議室Ｂの設定温度は２８℃に制限される。
【００４６】
ここで、ＶＩＰユーザが応接室に入室すると、入室後の優先順位は、図１２の右図に示すように、１位がＶＩＰ、２位が社長、３位が一般社員に変化する。よって、ＶＩＰに割り当てられる制御目標（設定温度）は、属性別設定温度である２４℃＋１℃で冷房２５℃となる。また、社長に割り当てられる制御目標（設定温度）は、冷房２８℃（２６℃＋２℃）となる。また、一般社員に割り当てられる制御目標は、送風となる。このため、ＶＩＰが入室した応接室の温度設定は、ＯＦＦ⇒冷房２５℃に変更され、会議室Ａは、冷房２７℃⇒２８℃に変更され、会議室Ｂは、冷房２８℃⇒送風に変更される。
【００４７】
そして、この後、ＶＩＰユーザが応接室から退室した場合、つまりＶＩＰユーザが優先順位判定エリア外へ移動した場合、その他のユーザの順位が上がり、図１２の左図に示した状態に戻る。よって、社長に割り当てられる制御目標（設定温度）は２７℃、一般社員に割り当てられる制御目標（設定温度）は２８℃となる。よって、社長が在室する会議室Ａの温度設定は２８℃⇒２７℃に変化し、一般社員が在室する会議室Ｂは送風⇒２８℃に変更される。なお、応接室は無人となるため、室内機２２は、ＯＦＦとなる。
【００４８】
そして、この状況から更に在室状況が変化し、社長が会議室Ａから退室して会議室Ｂに入室した場合について考える。優先順位を付けるにあたっては、上述したように優先順位判定エリア内全体での在室状況に基づいて判定している。このため、社長が会議室Ｂに入室しても、優先順位は図１１の左図に示したままで変化しないし、また、社長及び一般社員のそれぞれに割り当てられた制御目標（設定温度）も変化しない。しかし、各部屋の在室状況は変化する。このため、まず、社長が会議室Ａから退室することによって会議室Ａは無人となるため、会議室Ａの室内機２２はＯＦＦされる。そして、会議室Ｂには、一般社員よりも優先順位の高い社長が入室することによって、現在、優先順位１位の社長に割り当てられた制御目標が優先され、会議室Ｂは、冷房２８℃⇒２７℃に変更される。
【００４９】
そして、例えば節電目標が達成できた等の理由で、管理者により、省エネモードが省エネレベル２から省エネレベル１に引き下げられた場合、現在、社長と一般社員とが在室している会議室Ｂの設定温度は、２７℃から、社長の属性別設定温度である２６℃に変更される。
【００５０】
以上のように各部屋それぞれについて最上位のユーザ属性に応じて制御目標を決定するにあたっては、在室状況記憶部１１に記憶された在室状況に基づいて行えばよい。つまり、各部屋毎に、その部屋に存在する１又は複数のユーザのそれぞれのユーザ属性を特定する。そして、各部屋毎に特定した１又は複数のユーザのユーザ属性のうち、優先順位が最も高いユーザ属性に割り当てた制御目標を、その部屋の部屋別制御目標として決定すればよい。
【００５１】
また、ユーザが部屋から退室した場合には、上述したようにユーザ情報入力端末４０から退出したユーザのユーザ識別情報と端末識別情報とを含む退室連動信号が中央管理装置１に送信される。このため、中央管理装置１の連動制御演算部３は、退室連動信号に基づいて上記の空気調和機２０の制御を実現する。すなわち、連動制御演算部３は、退室連動信号に基づいて優先順位判定エリアにおける優先順位を更新し、更新後の優先順位に基づいて各部屋それぞれにおける、部屋別制御目標を更新し、更新後の部屋別制御目標を指示する空気調和機制御信号を室外機２１に送信する。また、連動制御演算部３は、退室連動信号に基づいて部屋が無人になったことを検知すると、その部屋の室内機２２をＯＦＦする。
【００５２】
以上説明したように、本実施の形態によれば、ユーザ属性と省エネレベルの設定状態との両方を考慮した、空気調和機２０の連動制御を行うことができる。よって、省エネ対策を可能としつつ、ユーザに応じた空気調和機２０の連動制御を行うことが可能な空気調和システムを得ることができる。
【００５３】
なお、本実施の形態では、空気調和機２０における空調対象を複数の部屋としたが、一つの部屋を空調対象とし、一つの部屋に１又は複数台の室内機２２が設置されている環境にも本発明を適用できる。この場合、優先順位の付与は不要であり、まず、その部屋に在室する１又は複数のユーザのそれぞれのユーザ属性をユーザ情報データベース５に基づいて特定する。そして、特定した１又は複数のユーザ属性のそれぞれの優先度を連動設定データベース群７に基づいて特定し、最も優先度が高いユーザ属性に対応する属性別設定情報を特定する。そして、特定した属性別設定情報と、省エネモード設定データベース１０とに基づいて現在設定されている省エネレベルに応じた制御目標を決定し、決定した制御目標を指示する空気調和機制御信号を空気調和機２０に送信すればよい。
【００５４】
なお、本実施の形態では、ユーザ情報入力端末４０が各部屋の入出扉の入口側と出口側に設置されるとしたが、少なくとも入口側に設置され、入室者を特定できればよい。また、本実施の形態ではユーザ情報入力端末４０が、ユーザ認証結果に基づく電気錠の開錠、施錠を行うとしたが、この機能については必須ではなく省略可能である。
【００５５】
また、本実施の形態では、連動元装置がユーザ情報入力端末４０（カードリーダ）であるとしたが、連動元装置はユーザ情報入力端末４０に限られない。例えば、室内機２２が設置される部屋が、複数ユーザの座席が配置された業務室である場合、各座席に配置されたパーソナルコンピュータ（以下、ＰＣという）を、連動元装置としてもよい。この場合、各ＰＣに予め識別番号を付与しておき、そのＰＣ識別番号を、ユーザ識別情報として用い、ＰＣの電源がＯＮされたことを以て、ＰＣから中央管理装置１にＰＣ識別番号（ユーザ識別情報）を入力し、上記の説明でいうところの部屋への入室とみなすようにすればよい。また、ＰＣの電源がＯＦＦされたことを以て、上記の説明でいうところの部屋からの退室とみなすようにすればよい。
【００５６】
また、本実施の形態では、建物内の複数の部屋（応接室、会議室Ａ及び会議室Ｂ）をまとめて一つ優先順位判定エリアとしたが、優先順位判定エリアは、建物全体としてもよく、各物件によって管理者により設定変更を可能とする。
【符号の説明】
【００５７】
１  中央管理装置、２  ユーザ認識処理部、３  連動制御演算部、４  空気調和機制御部、５  ユーザ情報データベース、６  ユーザ情報入力端末データベース、７  連動設定データベース群、８  優先度データベース、９  属性連動データベース、１０  省エネモード設定データベース、１１  在室状況記憶部、１２  優先順位状況記憶部、２０  空気調和機、２１  室外機、２２  室内機、３０  ユーザ情報カード、４０  ユーザ情報入力端末。
【図１】
2014076756.tif 000003
【図２】
2014076756.tif 000004
【図３】
2014076756.tif 000005
【図４】
2014076756.tif 000006
【図５】
2014076756.tif 000007
【図６】
2014076756.tif 000008
【図７】
2014076756.tif 000009
【図８】
2014076756.tif 000010
【図９】
2014076756.tif 000011
【図１０】
2014076756.tif 000012
【図１１】
2014076756.tif 000013
【図１２】
2014076756.tif 000014
【図１３】
2014076756.tif 000015
【手続補正書】
【提出日】平成28年5月10日(2016.5.10)
【手続補正１】
【補正対象書類名】明細書
【補正対象項目名】０００８
【補正方法】変更
【補正の内容】
【０００８】
本発明に係る空気調和システムは、複数の部屋の空調を行う複数の室内機を有する空気調和機と、複数の部屋のそれぞれの入口に設置され、部屋へのユーザの入室を検知し、ユーザを識別するユーザ識別情報と、自己の識別番号である端末識別情報とを含む入室連動信号を送信する複数の入室連動元装置と、入室連動信号を受信し、入室連動信号に基づいて空気調和機を制御する中央管理装置とを備え、中央管理装置は、ユーザ識別情報毎にユーザ属性を記憶したユーザ情報データベースと、ユーザ属性毎に優先度を記憶した優先度データベース、ユーザ属性毎に属性別設定温度を記憶した属性連動データベース、及び、優先度に基づいて順位付けされる優先順位の各順位毎に割り当てられた空気調和機の制御目標の組み合わせで構成される省エネレベルを１又は複数記憶し、制御目標として少なくとも属性別設定温度を基準とした部屋の設定温度を設定した省エネモード設定データベースとを含む連動設定データベース群と、省エネレベルを選択する設定入力部と、連動制御演算部とを備え、連動制御演算部は、入室連動元装置からの入室連動信号により、複数の部屋をまとめて一つとみなした優先順位判定エリアに新たにユーザが入室したことを検知すると、入室連動信号に含まれる端末識別情報に基づいてユーザが入室した部屋を特定すると共に、新たに入室したユーザを含めて優先順位判定エリアに在室する１又は複数のユーザのそれぞれのユーザ属性をユーザ情報データベースに基づいて特定し、特定した１又は複数のユーザ属性に、連動設定データベース群に基づいて優先順位を付け、各順位それぞれのユーザ属性毎に、そのユーザ属性に応じて設定された属性別設定温度に基づいて設定入力部で選択された省エネレベルに応じた制御目標を割り当て、複数の部屋のそれぞれにおける在室状況を管理し、各部屋毎に、その部屋に存在する１又は複数のユーザのそれぞれのユーザ属性を特定し、各部屋毎に特定した１又は複数のユーザ属性のうち、優先順位が最も高いユーザ属性に割り当てた制御目標を、その部屋の部屋別制御目標として決定し、複数の部屋のそれぞれに対して決定した部屋別制御目標を指示する空気調和機制御信号を空気調和機に送信するものである。
【手続補正２】
【補正対象書類名】明細書
【補正対象項目名】００４４
【補正方法】変更
【補正の内容】
【００４４】
優先順位の判定は、上述したように、部屋毎ではなく建物全体、応接室、会議室Ａ及び会議室Ｂをまとめて一つとみなした優先順位判定エリア内での在室状況に基づいて判定する。ＶＩＰユーザが応接室に入室前の優先順位判定エリア内には、一般社員（優先度１）と社長（優先度２）とが在室している。このため、優先順位は、図１２の左図に示すように、１位が社長、２位が一般社員である。
【手続補正３】
【補正対象書類名】明細書
【補正対象項目名】００４８
【補正方法】変更
【補正の内容】
【００４８】
そして、この状況から更に在室状況が変化し、社長が会議室Ａから退室して会議室Ｂに入室した場合について考える。優先順位を付けるにあたっては、上述したように優先順位判定エリア内全体での在室状況に基づいて判定している。このため、社長が会議室Ｂに入室しても、優先順位は図１２の左図に示したままで変化しないし、また、社長及び一般社員のそれぞれに割り当てられた制御目標（設定温度）も変化しない。しかし、各部屋の在室状況は変化する。このため、まず、社長が会議室Ａから退室することによって会議室Ａは無人となるため、会議室Ａの室内機２２はＯＦＦされる。そして、会議室Ｂには、一般社員よりも優先順位の高い社長が入室することによって、現在、優先順位１位の社長に割り当てられた制御目標が優先され、会議室Ｂは、冷房２８℃⇒２７℃に変更される。
【手続補正４】
【補正対象書類名】特許請求の範囲
【補正対象項目名】全文
【補正方法】変更
【補正の内容】
【特許請求の範囲】
【請求項１】
複数の部屋の空調を行う複数の室内機を有する空気調和機と、
前記複数の部屋のそれぞれの入口に設置され、前記部屋へのユーザの入室を検知し、前記ユーザを識別するユーザ識別情報と、自己の識別番号である端末識別情報とを含む入室連動信号を送信する複数の入室連動元装置と、
前記入室連動信号を受信し、前記入室連動信号に基づいて前記空気調和機を制御する中央管理装置とを備え、
前記中央管理装置は、
前記ユーザ識別情報毎にユーザ属性を記憶したユーザ情報データベースと、
前記ユーザ属性毎に優先度を記憶した優先度データベース、前記ユーザ属性毎に属性別設定温度を記憶した属性連動データベース、及び、前記優先度に基づいて順位付けされる優先順位の各順位毎に割り当てられた前記空気調和機の制御目標の組み合わせで構成される省エネレベルを１又は複数記憶し、前記制御目標として少なくとも前記属性別設定温度を基準とした前記部屋の設定温度を設定した省エネモード設定データベースとを含む連動設定データベース群と、
前記省エネレベルを選択する設定入力部と、
連動制御演算部とを備え、
前記連動制御演算部は、
前記入室連動元装置からの前記入室連動信号により、前記複数の部屋をまとめて一つとみなした優先順位判定エリアに新たにユーザが入室したことを検知すると、前記入室連動信号に含まれる端末識別情報に基づいて前記ユーザが入室した部屋を特定すると共に、新たに入室した前記ユーザを含めて前記優先順位判定エリアに在室する１又は複数のユーザのそれぞれのユーザ属性を前記ユーザ情報データベースに基づいて特定し、
特定した１又は複数の前記ユーザ属性に、前記連動設定データベース群に基づいて優先順位を付け、各順位それぞれのユーザ属性毎に、そのユーザ属性に応じて設定された前記属性別設定温度に基づいて前記設定入力部で選択された省エネレベルに応じた前記制御目標を割り当て、
前記複数の部屋のそれぞれにおける在室状況を管理し、前記各部屋毎に、その部屋に存在する１又は複数のユーザのそれぞれのユーザ属性を特定し、
前記各部屋毎に特定した１又は複数の前記ユーザ属性のうち、前記優先順位が最も高いユーザ属性に割り当てた前記制御目標を、その部屋の部屋別制御目標として決定し、
前記複数の部屋のそれぞれに対して決定した前記部屋別制御目標を指示する空気調和機制御信号を前記空気調和機に送信する
ことを特徴とする空気調和システム。
【請求項２】
前記部屋からのユーザの退室を検知し、前記ユーザを識別するユーザ識別情報を含む退室連動信号を送信する退室連動元装置を更に備え、
前記連動制御演算部は、
前記退室連動信号を受信すると、前記優先順位判定エリアにおける優先順位を更新し、更新後の優先順位に基づいて前記各部屋それぞれにおける、前記部屋別制御目標を更新し、前記更新後の部屋別制御目標を指示する空気調和機制御信号を前記空気調和機に送信する
ことを特徴とする請求項１記載の空気調和システム。
【請求項３】
前記連動制御演算部は、前記入室連動信号及び前記退室連動信号に基づいて前記優先順位判定エリア内におけるユーザの部屋移動を検知した場合、前記優先順位判定エリアにおける優先順位の更新は行わず、前記複数の部屋のそれぞれにおける在室状況の変化に基づいて、前記各部屋それぞれにおける、前記部屋別制御目標を更新し、前記更新後の部屋別制御目標を指示する空気調和機制御信号を前記空気調和機に送信する
ことを特徴とする請求項２記載の空気調和システム。
【請求項４】
前記入室連動元装置は、自己が設置された部屋の入出扉の電気錠の開錠を行うように構成され、
前記入室連動元装置は、自己が設置された部屋へのユーザの入室を検知すると、前記電気錠の開錠信号を生成して前記入室連動信号に含めて前記中央管理装置に送信し、
前記中央管理装置は、前記開錠信号を含む前記入室連動信号を受信すると、前記入室連動信号に含まれる前記端末識別情報で特定される部屋が、前記入室連動信号に含まれる前記ユーザ識別情報で特定されるユーザの入出許可エリアであるか否かを判断し、入出許可エリアであると判断した場合、認証成功である旨の認証結果を、前記入室連動信号の送信元の前記入室連動元装置に送信し、
前記入室連動元装置は、前記中央管理装置からの認証成功である旨の前記認証結果に基づいて前記電気錠を開錠する
ことを特徴とする請求項２又は請求項３記載の空気調和システム。
【請求項５】
前記退室連動元装置は、前記部屋からのユーザの退室を検知すると、自己が設置された部屋の前記電気錠を施錠することを特徴とする請求項４記載の空気調和システム。
【請求項６】
前記連動制御演算部は、前記退室連動信号に基づいて前記部屋が無人になったことを検知した場合、その部屋の前記室内機をＯＦＦすることを特徴とする請求項２又は請求項５記載の空気調和システム。
【請求項７】
前記空気調和機の制御目標は、前記部屋の設定温度の他に、送風動作及び空調停止の少なくとも一方を有することを特徴とする請求項１乃至請求項６の何れか一項に記載の空気調和システム。
【請求項８】
複数の部屋の空調を行う複数の室内機を有する空気調和機と、前記複数の部屋のそれぞれへのユーザの入室を検知し、前記ユーザを識別するユーザ識別情報と、自己の識別番号である端末識別情報とを含む入室連動信号を送信する複数の入室連動元装置と、前記入室連動信号を受信し、前記入室連動信号に基づいて前記空気調和機を制御する中央管理装置とを備えた空気調和システムにおける前記中央管理装置であって、
前記ユーザ識別情報毎にユーザ属性を記憶したユーザ情報データベースと、
前記ユーザ属性毎に優先度を記憶した優先度データベース、前記ユーザ属性毎に属性別設定温度を記憶した属性連動データベース、及び、前記優先度に基づいて順位付けされる優先順位の各順位毎に割り当てられた前記空気調和機の制御目標の組み合わせで構成される省エネレベルを１又は複数記憶し、前記制御目標として少なくとも前記属性別設定温度を基準とした前記部屋の設定温度を設定した省エネモード設定データベースとを含む連動設定データベース群と、
前記省エネレベルを選択する設定入力部と、
連動制御演算部とを備え、
前記連動制御演算部は、
前記入室連動元装置からの前記入室連動信号により、前記複数の部屋をまとめて一つとみなした優先順位判定エリアに新たにユーザが入室したことを検知すると、前記入室連動信号に含まれる端末識別情報に基づいて前記ユーザが入室した部屋を特定すると共に、新たに入室した前記ユーザを含めて前記優先順位判定エリアに在室する１又は複数のユーザのそれぞれのユーザ属性を前記ユーザ情報データベースに基づいて特定し、
特定した１又は複数の前記ユーザ属性に、前記連動設定データベース群に基づいて優先順位を付け、各順位それぞれのユーザ属性毎に、そのユーザ属性に応じて設定された前記属性別設定温度に基づいて前記設定入力部で選択された省エネレベルに応じた前記制御目標を割り当て、
前記複数の部屋のそれぞれにおける在室状況を管理し、前記各部屋毎に、その部屋に存在する１又は複数のユーザのそれぞれのユーザ属性を特定し、
前記各部屋毎に特定した１又は複数の前記ユーザ属性のうち、前記優先順位が最も高いユーザ属性に割り当てた前記制御目標を、その部屋の部屋別制御目標として決定し、
前記複数の部屋のそれぞれに対して決定した前記部屋別制御目標を指示する空気調和機制御信号を前記空気調和機に送信する
ことを特徴とする中央管理装置。
【手続補正５】
【補正対象書類名】図面
【補正対象項目名】図２
【補正方法】変更
【補正の内容】
【図２】
2014076756.tif 000016
【国際調査報告】
2014076756.tif 000017
2014076756.tif 000018
2014076756.tif 000019
2014076756.tif 000020